【手続補正書】
【提出日】平成17年2月10日(2005.2.10)
【手続補正１】
【補正対象書類名】明細書
【補正対象項目名】特許請求の範囲
【補正方法】変更
【補正の内容】
【特許請求の範囲】
【請求項１】
壁体に壁開口を開設し、前記壁体の裏面側に敷設された水側及び湯側配管を、前記壁開口を貫通する一対の貫通継手へ接続し、前記貫通継手に混合水栓を接続する混合水栓の取付構造において、
前記壁体の裏面側で、変形により前記貫通継手の出口側を挿入、係止する壁裏当て材にて前記継手出口側を保持すると共に、
前記壁体の表面側には、前記継手出口側を収納する水栓取付座を位置させ前記壁裏当て材に連結固定し、さらに前記貫通継手の前記壁体の裏面側への移動を規制する後方移動規制部材を設け、
前記継手出口側と前記混合水栓の本体入口を水栓連結管にて連結し、前記混合水栓本体を前記水栓取付座に取付固定したことを特徴とする混合水栓の取付構造。
【請求項２】
前記壁裏当て材が、ともに開口を有する壁裏保持材と壁裏当て材本体からなり、前記壁裏保持材の変形により前記継手出口側を前記壁裏保持材の開口に挿入、係止すると共に、前記壁裏保持材を前記壁裏当て材本体の開口に挿入、係止し、前記水栓取付座は前記壁裏当て材本体と連結固定することを特徴とした請求項１に記載の混合水栓の取付構造。
【請求項３】
前記後方移動規制部材が、前記壁体の表面側に当接する継手プレートと止め輪からなり、前記継手プレートに設けた継手挿通口に前記継手出口側を嵌め合わせ、前記継手出口側の外周に形成した凹溝を継手プレートの前方即ち前記壁体の表面側方向に露出させ、前記凹溝に前記止め輪を挿入、係止することにより、前記継手出口側をその軸回りに回動可能で、前記壁体の裏面側へ移動不能に保持することを特徴とする、請求項１または２に記載の混合水栓の取付構造。
【請求項４】
前記水栓取付座が、前記継手出口側を挿入可能な継手保持穴を有する水栓取付座本体と、前記継手保持穴の前方にあって前記継手出口側の挿通が不能で、かつ前記水栓連結管の挿通が可能な連結管挿通穴を有する抜け止めと、前記水栓取付座本体の外周にあって壁体表面側に当接するフランジからなり、前記継手保持穴に前記継手出口側を巌め合わせて収納することにより、前記継手出口側を、その軸回りに回動可能で、後方以外の方向に略移動不能に保持することを特徴とする、請求項１乃至３の何れかに記載の混合水栓の取付構造。
【請求項５】
前記水栓取付座を、前記壁開口を通して前記壁裏当て材に連結固定することを特徴とする、請求項１乃至４の何れかに記載の混合水栓の取付構造。
【請求項６】
前記継手出口側及び前記水栓取付座の前後位置を、前記壁体の表面側を基準に位置決めすることを特微とする、請求項１乃至５の何れかに記載の混合水栓の取付構造。
【請求項７】
水側及び湯側の貫通継手の出口側間の間隔と、前記混合水栓本体の水側及び湯側の入口間の間隔との寸法誤差を吸収する、芯間調整手段を設けたことを特徴とする、請求項１乃至６の何れかに記載の混合水栓の取付構造。
【請求項８】
前記芯間調整手段が、前記水栓連結管と前記混合水栓本体入口側を固定する連結管固定材と、前記水栓連結管との間、及び／又は、前記継手保持穴と前記継手出口側との間に、所定の遊びを設けたものであることを特徴とする、請求項７に記載の混合水栓の取付構造。
【手続補正２】
【補正対象書類名】明細書
【補正対象項目名】００１１
【補正方法】変更
【補正の内容】
【００１１】
【課題を解決するための手段】本発明の各請求項記載の混合水栓の取付構造について、上記課題を解決するために施した手段は、以下の通りである。
【手続補正３】
【補正対象書類名】明細書
【補正対象項目名】００１２
【補正方法】変更
【補正の内容】
【００１２】
請求項１記載の混合水栓の取付構造では、壁体に壁開口を開設し、前記壁体の裏面側に敷設された水側及び湯側配管を、前記壁開口を貫通する一対の貫通継手へ接続し、前記貫通継手に混合水栓を接続する混合水栓の取付構造において、前記壁体の裏面側で、変形により前記貫通継手の出口側を挿入、係止する壁裏当て材にて前記継手出口側を保持すると共に、前記壁体の表面側には、前記継手出口側を収納する水栓取付座を位置させ前記壁裏当て材に連結固定し、さらに前記貫通継手の前記壁体の裏面側への移動を規制する後方移動規制部材を設け、前記継手出口側と前記混合水栓の本体入口を水栓連結管にて連結し、前記混合水栓本体を前記水栓取付座に取付固定したことを特徴とすることとした。
また、請求項２記載の混合水栓の取付構造では、前記壁裏当て材が、ともに開口を有する壁裏保持材と壁裏当て材本体からなり、前記壁裏保持材の変形により前記継手出口側を前記壁裏保持材の開口に挿入、係止すると共に、前記壁裏保持材を前記壁裏当て材本体の開口に挿入、係止し、前記水栓取付座は前記壁裏当て材本体と連結固定することを特徴とすることとした。
また、請求項３記載の混合水栓の取付構造では、前記後方移動規制部材が、前記壁体の表面側に当接する継手プレートと止め輪からなり、前記継手プレートに設けた継手挿通口に前記継手出口側を嵌め合わせ、前記継手出口側の外周に形成した凹溝を継手プレートの前方即ち前記壁体の表面側方向に露出させ、前記凹溝に前記止め輪を挿入、係止することにより、前記継手出口側をその軸回りに回動可能で、前記壁体の裏面側へ移動不能に保持することを特徴とすることとした。
また、請求項４記載の混合水栓の取付構造では、前記水栓取付座が、前記継手出口側を挿入可能な継手保持穴を有する水栓取付座本体と、前記継手保持穴の前方にあって前記継手出口側の挿通が不能で、かつ前記水栓連結管の挿通が可能な連結管挿通穴を有する抜け止めと、前記水栓取付座本体の外周にあって壁体表面側に当接するフランジからなり、前記継手保持穴に前記継手出口側を巌め合わせて収納することにより、前記継手出口側を、その軸回りに回動可能で、後方以外の方向に略移動不能に保持することを特徴とすることとした。
また、請求項５記載の混合水栓の取付構造では、前記水栓取付座を、前記壁開口を通して前記壁裏当て材に連結固定することを特徴とすることとした。
また、請求項６記載の混合水栓の取付構造では、前記継手出口側及び前記水栓取付座の前後位置を、前記壁体の表面側を基準に位置決めすることを特微とすることとした。
また、請求項７記載の混合水栓の取付構造では、水側及び湯側の貫通継手の出口側間の間隔と、前記混合水栓本体の水側及び湯側の入口間の間隔との寸法誤差を吸収する、芯間調整手段を設けたことを特徴とすることとした。
さらに、請求項８記載の混合水栓の取付構造では、前記芯間調整手段が、前記水栓連結管と前記混合水栓本体入口側を固定する連結管固定材と、前記水栓連結管との間、及び／又は、前記継手保持穴と前記継手出口側との間に、所定の遊びを設けたものであることを特徴とすることとした。
【手続補正４】
【補正対象書類名】明細書
【補正対象項目名】００１３
【補正方法】変更
【補正の内容】
【００１３】
【発明の実施の形態】
壁体に開設した壁開口と、この壁開口を貫通する貫通継手と、継手出口側に接続する混合水栓本体を有する混合水栓の取付構造では、継手が一体の時には、継手出口側と混合水栓入口側との取合において、寸法的な遊びが取り難く、高度な寸法精度が要求され、製造及び取付施工の困難さと、それに伴うコストの上昇を招き、かつ、製造及び施工精度不良に伴う漏水事故の可能性が大きいという問題があるが、これを解決するために、水側及び湯側の貫通継手を互いに分離独立した別体品とした。更に、分離独立した一対の継手出口側を壁開口から同時に引き出せるように、又、配管に取付けた継手が自立し所定の位置に留まり易いようにして施工を容易にし、施工コストの低減を図るため、壁体裏面側に壁裏当て材を設けて、一対の継手出口側を略所定の間隔に保持して緩やかに一体化した。なお、略所定の間隔に保持するとは、所定の間隔に動かないように固定するのではなく、所定の間隔よりやや広くも、やや狭くも動かせる状態に、更に、必要に応じてその軸回りに回動可能な状態に支持することを意味する。
【手続補正５】
【補正対象書類名】明細書
【補正対象項目名】００１４
【補正方法】変更
【補正の内容】
【００１４】
次に、壁開口から引き出した一対の継手出口側が後方即ち壁体裏面側方向に逃げないようにするため、壁体表面側に後方移動規制部材を設けて、継手出口側の後方への移動を規制した。なお、これにより、壁裏当て材への保持と合せて前後２箇所で保持することになり、一対の継手出口側の平行度と壁体表面に対する垂直度が向上し、次に述べる水栓取付座の着脱が容易になるという効果もある。
【手続補正６】
【補正対象書類名】明細書
【補正対象項目名】００１６
【補正方法】変更
【補正の内容】
【００１６】
混合水栓本体を、水密的にも機械的にも簡便かつ確実、強固に取付固定するため、継手出口側と混合水栓の水栓本体入口側とを水密的に連結する水栓連結管と、混合水栓本体を機械的に取付固定する水栓固定部材を設けた。なお、故障時の対応、及び機能や意匠等の向上のための混合水栓本体の交換を容易ならしめるため、混合水栓本体は着脱自在とした。
【手続補正７】
【補正対象書類名】明細書
【補正対象項目名】００１７
【補正方法】変更
【補正の内容】
【００１７】
また、簡単な構造にして、製造及び施工を容易にすることにより、安価に、継手出口側の後方への移動を規制する手段を得るため、後方移動規制部材を、壁体表面側に当接し得る外形と継手出口側を挿通可能な継手挿通口とを有する継手プレートと、止め輪とから構成し、継手挿通口を継手出口側に嵌め合わせて、略円筒状の継手出口側の後方に形成した円周方向の凹溝を継手プレートの前方即ち壁体表面側方向に露出せしめ、この凹溝に止め輪を挿入係止することにより、継手出口側を、その軸回りに回動可能で、かつ、後方に移動不能に保持した。なお、回動可能に保持するのは、配管取出方向の自由度を確保するとともに、発明の実施の形態で詳しく述べる通り、配管の反発力を緩和して、施工性の向上を図るためである。又、壁体表面に当接し得るとは、壁体表面に直接当接するものは勿論、他の部材等を挟んで、壁体表面に間接的に当接するものをも含み、略円筒状とは、断面が均一径の円筒は勿論、例えば、円筒の内面及び／又は外面に任意方向の凹凸や前後方向のテーパを設けたもの等をも含むことを意味する。
【手続補正８】
【補正対象書類名】明細書
【補正対象項目名】００１８
【補正方法】変更
【補正の内容】
【００１８】
また、容易に施工できるようにして施工コストの低減を図るため、水栓取付座を、継手出口側を挿入可能な継手保持穴を有する水栓取付座本体と、継手保持穴の前方にあって継手出口側の挿通が不能でかつ水栓連結管の挿通が可能な連結管挿通穴を有する抜け止めと、水栓取付座本体の後方外周にあって壁体表面側に当接し得るフランジとから構成して、継手保持穴を継手出口側に嵌め合わせてから、水栓取付座を壁体に固定することにより、継手出口側を、その軸回りに回動可能で、かつ、後方以外の方向に略移動不能に保持した。なお、略移動不能とは、想定する各種の寸法誤差等を吸収するための多少の遊びを許容することを意味する。
【手続補正９】
【補正対象書類名】明細書
【補正対象項目名】００１９
【補正方法】変更
【補正の内容】
【００１９】
また、混合水栓本体を取付固定する水栓取付座の取付強度を確保し、かつ、水栓取付座の小型化と、それに伴うコスト低減、意匠性の向上を図り、メンテナンスをも容易とするため、水栓取付座を、壁体表面側から、壁開口を通し壁体を挟んで、壁体裏面側に設けた（継手出口側の保持のみならず、荷重分散を図る役目をも担う）壁裏当て材に連結固定した。なお、壁開口を通して連結固定するとは、壁開口の内、貫通継手が占有する領域を除いた部分を利用して、ねじ等を使ってお互いをつなぎ合わせて固定する、という意味であり、これによって、壁開口を拡大したり、連結固定するための穴を新たに開けたりする必要がなく、壁開口の外側で壁体に取付固定する場合に比べて、大幅な小型化が可能となる訳である。
【手続補正１０】
【補正対象書類名】明細書
【補正対象項目名】００２０
【補正方法】変更
【補正の内容】
【００２０】
また、継手出口側、水栓取付座、混合水栓本体相互の取合に、壁パネルの厚さ種類やその誤差の吸収を考慮する必要をなくして、構造の単純化と小型化を可能ならしめ、製品コストの低減を図るため、継手出口側及び水栓取付座の前後位置を、壁体表面側を基準に位置決めするようにした。混合水栓本体は水栓取付座に取付固定するため、継手出口側及び水栓取付座の前後位置を、壁体表面側を基準に位置決めすれば、混合水栓本体も同じ基準で位置決めすることになるので、継手出口側、水栓取付座、混合水栓本体の三者の前後の位置関係が常に一定になる訳である。
【手続補正１１】
【補正対象書類名】明細書
【補正対象項目名】００２１
【補正方法】変更
【補正の内容】
【００２１】
また、製品に要求される寸法精度を低く抑えながら、施工を容易なものとして、漏水の可能性と、製品コスト及び施工コストの低減を図るため、一対の継手出口側の間隔と、水栓本体入口側の水側及び湯側の間隔との寸法誤差を吸収する、芯間調整手段を設けた。
【手続補正１２】
【補正対象書類名】明細書
【補正対象項目名】００２２
【補正方法】変更
【補正の内容】
【００２２】
また、簡単な構造にして、製造及び施工を容易にすることにより、安価に、芯間調整機能を得るため、芯間調整手段を、水栓連結管と水栓本体入口側とを固定する連結管固定材と水栓連結管との間、及び／又は、水栓取付座の継手保持穴と継手出口側との間に、所定の遊びを設けた。なお、連結管固定材とは、袋ナットや押え板等のことであり、所定の遊びとは、一対の継手出口側の間隔と、水栓本体入口側の水側及び湯側の間隔との、想定する各種寸法誤差等を吸収するに必要十分な逃げ寸法のことを指す。
【手続補正１３】
【補正対象書類名】明細書
【補正対象項目名】００２３
【補正方法】変更
【補正の内容】
【００２３】
以下、本発明の実施の形態を、図面を参照しつつ更に詳説する。
【手続補正１４】
【補正対象書類名】明細書
【補正対象項目名】００７９
【補正方法】変更
【補正の内容】
【００７９】
請求項１記載の混合水栓の取付構造では、壁体に壁開口を開設し、前記壁体の裏面側に敷設された水側及び湯側配管を、前記壁開口を貫通する一対の貫通継手へ接続し、前記貫通継手に混合水栓を接続する混合水栓の取付構造において、前記壁体の裏面側で、変形により前記貫通継手の出口側を挿入、係止する壁裏当て材にて前記継手出口側を保持すると共に、前記壁体の表面側には、前記継手出口側を収納する水栓取付座を位置させ前記壁裏当て材に連結固定し、さらに前記貫通継手の前記壁体の裏面側への移動を規制する後方移動規制部材を設け、前記継手出口側と前記混合水栓の本体入口を水栓連結管にて連結し、前記混合水栓本体を前記水栓取付座に取付固定した。したがって、水栓取付座と壁裏当て材とで壁体を挟み込んで強固に取付固定されると共に、貫通継手は前後２箇所で保持されることになり、一対の継手の平行度と壁体表面に対する垂直度が向上し、水栓取付座の脱着が容易になる。また、一対の継手出口側は、壁裏当て材で一体化することができる。すなわち、分離独立した一対の継手出口側を壁開口から同時に引き出せ、施工が容易になり、施工コストの低減を図ることができる。
【手続補正１５】
【補正対象書類名】明細書
【補正対象項目名】００８０
【補正方法】削除
【補正の内容】
【手続補正１６】
【補正対象書類名】明細書
【補正対象項目名】００８１
【補正方法】削除
【補正の内容】
【手続補正１７】
【補正対象書類名】明細書
【補正対象項目名】００８２
【補正方法】削除
【補正の内容】
【手続補正１８】
【補正対象書類名】明細書
【補正対象項目名】００８３
【補正方法】削除
【補正の内容】
【手続補正１９】
【補正対象書類名】明細書
【補正対象項目名】００８４
【補正方法】変更
【補正の内容】
【００８４】
また、請求項２記載の混合水栓の取付構造では、前記壁裏当て材が、ともに開口を有する壁裏保持材と壁裏当て材本体からなり、前記壁裏保持材の変形により前記継手出口側を前記壁裏保持材の開口に挿入、係止すると共に、前記壁裏保持材を前記壁裏当て材本体の開口に挿入、係止し、前記水栓取付座は前記壁裏当て材本体と連結固定した。したがって、壁裏保持材を半硬質樹脂で作成し、その変形により継手出口側を壁裏保持材の開口に挿入、係止させることができ、継手出口側の保持作業はきわめて容易となる。
【手続補正２０】
【補正対象書類名】明細書
【補正対象項目名】００８５
【補正方法】変更
【補正の内容】
【００８５】
また、請求項３記載の混合水栓の取付構造では、前記後方移動規制部材が、前記壁体の表面側に当接する継手プレートと止め輪からなり、前記継手プレートに設けた継手挿通口に前記継手出口側を嵌め合わせ、前記継手出口側の外周に形成した凹溝を継手プレートの前方即ち前記壁体の表面側方向に露出させ、前記凹溝に前記止め輪を挿入、係止することにより、前記継手出口側をその軸回りに回動可能で、前記壁体の裏面側へ移動不能に保持した。したがって、いずれの部材も簡単な構造、形状であり、製造及び施工が容易な、従って安価な、継手出口側の後方への移動を規制する手段を得ることができると共に、配管に曲げ癖や捩れがあった場合でも、継手出口側の保持作業は容易となる。
【手続補正２１】
【補正対象書類名】明細書
【補正対象項目名】００８６
【補正方法】変更
【補正の内容】
【００８６】
また、請求項４記載の混合水栓の取付構造では、前記水栓取付座が、前記継手出口側を挿入可能な継手保持穴を有する水栓取付座本体と、前記継手保持穴の前方にあって前記継手出口側の挿通が不能で、かつ前記水栓連結管の挿通が可能な連結管挿通穴を有する抜け止めと、前記水栓取付座本体の外周にあって壁体表面側に当接するフランジからなり、前記継手保持穴に前記継手出口側を巌め合わせて収納することにより、前記継手出口側を、その軸回りに回動可能で、後方以外の方向に略移動不能に保持した。したがって、施工が容易で、施工コストの低減を図ることができる。
【手続補正２２】
【補正対象書類名】明細書
【補正対象項目名】００８７
【補正方法】変更
【補正の内容】
【００８７】
また、請求項５記載の混合水栓の取付構造では、前記水栓取付座を、前記壁開口を通して前記壁裏当て材に連結固定した。したがって、壁開口の内、継手出口側が占有する領域を除いた部分を利用してねじ等により固定されるので、連結固定するための穴を新たに壁体に開ける必要がなく、加重を分散させることができると共に、混合水栓本体を取付固定する水栓取付座の取付け強度を確保でき、かつ、水栓取付座の小型化と、それに伴うコスト低減、意匠の向上が図れ、メンテナンスも容易になる。
【手続補正２３】
【補正対象書類名】明細書
【補正対象項目名】００８８
【補正方法】変更
【補正の内容】
【００８８】
また、請求項６記載の混合水栓の取付構造では、前記継手出口側及び前記水栓取付座の前後位置を、前記壁体の表面側を基準に位置決めすることとした。したがって、継手出口側、水栓取付座、混合水栓本体相互の取合に、壁パネルの厚さ種類やその誤差の吸収を考慮する必要がなく、構造の単純化と小型化が可能になり、製品コストの低減をはかることができる。
【手続補正２４】
【補正対象書類名】明細書
【補正対象項目名】００８９
【補正方法】変更
【補正の内容】
【００８９】
また、請求項７記載の混合水栓の取付構造では、水側及び湯側の貫通継手の出口側間の間隔と、前記混合水栓本体の水側及び湯側の入口間の間隔との寸法誤差を吸収する、芯間調整手段を設けた。したがって、継手出口側と混合水栓入口側との取合で、寸法的な遊びが取り易くなり、製品に要求される寸法精度を低く抑えながら、施工が容易になり、漏水の可能性と、製品コスト及び施工コストの低減を図ることができる。
さらに、請求項８記載の混合水栓の取付構造では、前記芯間調整手段が、前記水栓連結管と前記混合水栓本体入口側を固定する連結管固定材と、前記水栓連結管との間、及び／又は、前記継手保持穴と前記継手出口側との間に、所定の遊びを設けた。したがって、構造が簡単で、製造及び施工が容易になり、安価に、芯間調整機能を得ることができる。